【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定工程と、
前記設定工程において設定された設定内容に基づいて、前記入力画像に対する方向補正処理の実行と傾き補正処理の実行とを制御する制御工程と、を含む画像処理方法であって、
前記設定工程では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする、画像処理装置を制御するための画像処理方法。
【請求項２】
前記方向補正処理と前記傾き補正処理とが実行制御された後の当該入力画像に対して、文字認識処理を実行する文字認識処理工程を更に有することを特徴とする請求項１に記載の画像処理方法。
【請求項３】
前記設定工程での設定は、前記入力画像が入力される以前に設定されることを特徴とする請求項１に記載の画像処理方法。
【請求項４】
前記方向補正設定項目には、前記入力画像の方向を０度、９０度、１８０度、２７０度のいずれかとして自動的に判定して方向補正する自動モードが含まれることを特徴とする請求項１に記載の画像処理方法。
【請求項５】
前記方向補正設定項目には、操作者により選択された方向に従って前記入力画像を処理する手動モードが含まれることを特徴とする請求項１乃至４のいずれかに記載の画像処理方法。
【請求項６】
前記手動モードでは、回転なし、９０度、１８０度、２７０度のいずれかの方向が前記操作者により選択され、
前記制御工程では、前記９０度、１８０度、２７０度のいずれかが選択されている場合、当該選択された方向に前記入力画像を回転補正し、前記回転なしが選択されている場合、前記入力画像を回転補正しないようにすることによって、前記方向補正処理を制御することを特徴とする請求項５に記載の画像処理方法。
【請求項７】
前記方向補正設定項目の設定を行う際、前記入力画像の方向を自動的に判定して方向補正するよう自動モードに設定するためのボタンと、操作者により選択された方向に従って前記入力画像を方向補正処理するための複数の選択可能な方向別のボタンとを一覧表示し、当該一覧表示されたボタンの中から前記操作者により１つだけ選択可能となるように表示制御することを特徴とする請求項１に記載の画像処理方法。
【請求項８】
入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定手段と、
前記設定手段において設定された設定内容に基づいて、前記入力画像に対する方向補正処理の実行と傾き補正処理の実行とを制御する制御手段と、を含む画像処理装置であって、
前記設定手段では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする画像処理装置。
【請求項９】
入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定工程と、
前記設定工程において設定された設定内容に基づいて、前記入力画像に対する方向補正処理の実行と傾き補正処理の実行とを制御する制御工程と、の各工程をコンピュータに実行させるためのプログラムコードを格納したコンピュータ読取可能な記憶媒体であって、
前記設定工程では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする、コンピュータ読取可能な記憶媒体。
【手続補正２】
【補正対象書類名】明細書
【補正対象項目名】０００７
【補正方法】変更
【補正の内容】
【０００７】
【課題を解決するための手段】
上記課題を解決するために、本発明の画像処理方法は、入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定工程と、前記設定工程において設定された設定内容に基づいて、前記入力画像に対する方向補正処理の実行と傾き補正処理の実行とを制御する制御工程と、を含む画像処理方法であって、前記設定工程では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする。
【手続補正３】
【補正対象書類名】明細書
【補正対象項目名】０００８
【補正方法】変更
【補正の内容】
【０００８】
上記課題を解決するために、本発明の画像処理装置は、入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定手段と、前記設定手段において設定された設定内容に基づいて、前記入力画像に対する方向補正処理の実行と傾き補正処理の実行とを制御する制御手段と、を含む画像処理装置であって、前記設定手段では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする。
【手続補正４】
【補正対象書類名】明細書
【補正対象項目名】０００９
【補正方法】変更
【補正の内容】
【０００９】
上記課題を解決するために、本発明のコンピュータ読取可能な記憶媒体は、入力画像の方向を自動的に判定して方向補正するか否か設定するための方向補正設定項目と、入力画像の傾きを自動的に判定して傾き補正するか否か設定するための傾き補正設定項目とを、操作者の指示に基づいて設定する設定工程と、前記設定工程において設定された設定内容に基づいて、前記入力画像に対する方向補正処理の実行と傾き補正処理の実行とを制御する制御工程と、の各工程をコンピュータに実行させるためのプログラムコードを格納したコンピュータ読取可能な記憶媒体であって、前記設定工程では、前記方向補正設定項目において前記入力画像の方向を自動的に判定して方向補正する自動モードが前記操作者の指示により設定されたと判断した場合、前記傾き補正設定項目において前記入力画像の傾きを自動的に判定して傾き補正するモードをＯＮに設定することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】